(57)【特許請求の範囲】
【請求項１】
音高調整を行うためのスライド管を備えた管楽器の演奏補助構造であって、
前記管楽器のスライド管近傍に設けられた操作部と、奏者による操作部への操作を検出する検出手段と、前記スライド管を移動させる駆動力を付与する駆動手段と、前記検出手段から出力される信号に基づいて駆動手段によるスライド管の移動を制御する制御手段とを備えていることを特徴とする管楽器の演奏補助構造。
【請求項２】
前記制御手段及び駆動手段は、当該駆動手段による駆動力の付与状態と非付与状態とを切り替え可能に設けられていることを特徴とする請求項１記載の管楽器の演奏補助構造。
【請求項３】
前記操作部は、スライド管のスライド方向に沿って移動可能なスライダを備えている一方、前記検出手段は、スライダの移動を検出するエンコーダーを用いて構成されていることを特徴とする請求項１又は２記載の管楽器の演奏補助構造。
【請求項４】
前記駆動手段は、超音波モータ、弾性表面波モータ、ＤＣモータの少なくとも一つを用いて構成されていることを特徴とする請求項１，２又は３記載の管楽器の演奏補助構造。
【請求項５】
前記スライド管の移動により生じる力と逆向きの力を付与可能なバランス保持手段を更に備えていることを特徴とする請求項１ないし４の何れかに記載の管楽器の演奏補助構造。
【発明の詳細な説明】
【技術分野】
【０００１】
本発明は、管楽器の演奏補助構造に係り、更に詳しくは、スライド管の操作負担を軽減することができる管楽器の演奏補助構造に関する。
【背景技術】
【０００２】
従来より、アルトトロンボーンやテナートロンボーン等のスライド管を備えた種々の管楽器が広く利用されるに至っている。このような楽器の演奏に際しては、マウスピースを介して吹奏操作しつつ、音高や音程に応じてスライド管を所定位置にスライド操作することが必要となる。
【０００３】
【特許文献１】特開２００４−１７７８２８号公報
【発明の開示】
【発明が解決しようとする課題】
【０００４】
しかしながら、前記演奏においては、スライド管を素早くスライド操作し、速い旋律を正確な音程で演奏することが困難となる。これは、スライド操作のストローク量が長くなる他、スライド管の質量による慣性抵抗や、スライド管移動時の摩擦抵抗等があることに起因する。従って、特に、初心者や障害者、力の弱い子供或いは高齢者にあっては、正確な演奏を行い難くなり、熟練者であってもスライド操作を行う上での運動の制約を受けることとなる、という不都合を生じる。しかも、奏者の体格にもよるが、小学生など比較的小柄な奏者が吹奏する場合、奏者から遠いポジションにスライド管をスライドさせようとしても手が届かなくなり、そのポジションの音程の音を発することができなくなる、という不都合もある。かかる不都合は、スライド管が長く高重量となるバストロンボーン等で特に顕出することとなる。
【０００５】
ところで、特許文献１は、ＭＩＤＩ等の楽音発生用データに基づいて管楽器を自動的に演奏する装置を開示しているが、同装置は、奏者がスライド操作等を行うものではない。従って、同装置では、奏者自身が能動的に演奏してメロディを奏でる等、演奏操作自体を楽しむことができなくなるという不都合がある。
【０００６】
［発明の目的］
本発明は、このような不都合に着目して案出されたものであり、その目的は、簡単な操作によりスライド管をスライドすることができ、演奏の正確性や表現性を高めることができる管楽器の演奏補助構造を提供することにある。
【課題を解決するための手段】
【０００７】
前記目的を達成するため、本発明は、音高調整を行うためのスライド管を備えた管楽器の演奏補助構造であって、
前記管楽器のスライド管近傍に設けられた操作部と、奏者による操作部への操作を検出する検出手段と、前記スライド管を移動させる駆動力を付与する駆動手段と、前記検出手段から出力される信号に基づいて駆動手段によるスライド管の移動を制御する制御手段とを備える、という構成が採用されている。
【０００８】
本発明において、前記制御手段及び駆動手段は、当該駆動手段による駆動力の付与状態と非付与状態とを切り替え可能に設けられる、という構成が好ましくは採用される。
【０００９】
また、前記操作部は、スライド管のスライド方向に沿って移動可能なスライダを備えている一方、前記検出手段は、スライダの移動を検出するエンコーダーを用いて構成されることが好ましい。
【００１０】
更に、前記駆動手段は、超音波モータ、弾性表面波モータ、ＤＣモータの少なくとも一つを用いて構成されるとよい。
【００１１】
また、前記スライド管の移動により生じる力と逆向きの力を付与可能なバランス保持手段を更に備える、という構成を採ることができる。
【発明の効果】
【００１２】
本発明によれば、スライド管を直接操作することなく操作部を操作することにより、駆動手段を介してスライド管を移動させて演奏を行うことができる。これにより、操作の省力化やスライド管の動作の迅速化を図ることができ、演奏時における音程や音高、発音の正確性を高めることが可能となる。しかも、奏者の手が届かないポジションにスライド管を移動可能となり、当該ポジションの音を容易に発することができる。更には、初心者等であっても、熟練者のような素早く正確な動作を行うことができ、また、熟練者にあっては、恰もスライド操作を行う上での運動の制約が緩和されたようなスライド管の移動を可能として演奏の表現にバリエーションを付与することができる。これにより、様々なレベルの奏者に対し、従来よりも演奏による興味や楽しみを増大させることが期待できる。
【００１３】
また、駆動手段による駆動力の付与状態と非付与状態とを切り替え可能としたので、前述のようなスライド操作を補助した演奏と、駆動手段を有しない従来タイプの管楽器と同様の演奏とを一の管楽器で選択することが可能となる。これにより、例えば、演奏の練習を行う場合に上達度に応じて前記切り替えを行う等、演奏の楽しみ方に種々のバリエーションを付与することが可能となる。
【００１４】
更に、バランス保持手段を設けた場合、駆動手段によるスライド管の移動及びその停止時に、管楽器が全体的にぐらついたり、マウスピースに接する奏者の口に負荷が付与されることを抑制することができる。
【発明を実施するための最良の形態】
【００１５】
以下、本発明の好ましい実施の形態について図面を参照しながら説明する。
【００１６】
［第１実施形態］
図１には、第１実施形態に係る管楽器の正面図が示されている。この図において、管楽器１０は、公知のテナートロンボーンとされ、具体的には、スライド管１１と、このスライド管１１の上部に位置するベル管１２と、スライド管１１の図中左側後方位置とベル１２との間に配置された抜差管１３と、前記スライド管１１の後端側に装着されたマウスピース１５と、スライド管１１と抜差管１３及びマウスピース１５との間に設けられた第１及び第２の停止帯管１７，１８とを備えて構成されている。
【００１７】
前記スライド管１１は、図中左右方向にスライド移動可能とされ、当該スライドによって吹奏による息の通り道となる管の長さを変えて音高調整を行えるようになっている。スライド管１１の近傍位置すなわち第１の停止帯管１７には、奏者により操作可能な操作部２０が設けられている一方、スライド管１１には駆動手段２１が設けられ、駆動手段２１は制御手段２２に接続されている。
【００１８】
前記操作部２０は、図２（Ａ）及び（Ｂ）に示されるように、スライド管１１のスライド方向と略平行に延びる上下一対のレール２４，２４と、これらレール２４，２４に装着されて当該レール２４，２４の延出方向に沿ってスライド移動可能なスライダ２５と、このスライダ２５から突設されたレバー状の把持部２６と、各レール２４，２４の両端側を支持するとともに、前記第１の停止帯管１７に接着等を介して固定される一対の側部材２７，２７とを備えて構成されている。操作部２０には、前記スライダ２５の移動を検出する検出手段２９が組み込まれている。
【００１９】
前記検出手段２９は、レール２４，２４間に設けられて当該レール２４，２４と略平行に延びるとともに、スライダ２５との相対面側に磁気パターンが書き込まれた磁気スケール３０と、スライダ２５における磁気スケール３０に相対する面に設けられたヘッド３１とを備えた磁気式エンコーダーにより構成されている。検出手段２９は、前記制御手段２２に接続されるとともに、磁気スケール３０に対するヘッド３１の位置を検出して前記制御手段２２に信号を出力可能に設けられている。
【００２０】
前記駆動手段２１は、スライド管１１と略平行に延びるとともに、一端側が抜差管１３側に連結された支持アーム３３と、この支持アーム３３の先端側に設けられた超音波モータ３４と、この超音波モータ３４の回転軸に設けられたピニオン３５と、前記スライド管１１に取り付けられて前記ピニオン３５に噛み合うラック３６とを備えて構成されている。超音波モータ３４は、前記制御手段２２から通電されると、その回転軸を図中時計回り又は反時計回りに回転する一方、電力供給が停止されたときに、回転軸の回転を規制する力が生じるようになっている。ここで、前記支持アーム３３の中間部には、バランス保持手段３８が設けられている。
【００２１】
前記バランス保持手段３８は、スライド管１１と略平行に延びる軸部３９と、この軸部３９に両端側で膨出する形状を備えた錘部４０，４０と、支持アーム３３に連結されて軸部３９を延出方向に移動可能に保持する保持手段４１とを備えている。保持手段４１と軸部３９とには、前述の駆動手段２１と同様の構造をなす移動装置４２が設けられ、この移動装置４２は、保持手段４２に設けられた超音波モータ４２Ａ及びピニオン４２Ｂと、軸部３９の外周面に設けられてピニオン４２Ｂに噛み合うラック４２Ｃが設けられている。超音波モータ４２Ａは、前記制御手段２２に接続されて回転軸の回転が制御されるようになっている。
【００２２】
前記制御手段２２は、管楽器１０を構成する管体の外周に所定の連結部材を介して取り付けられ、或いは、管楽器１０とは別体となる筐体等に設けられ、ケーブル等を介して検出手段２９、駆動手段２１及び移動装置４２に接続されている。制御手段２２は、検出手段２９からの出力信号を入力し、増幅や変換、後述する演算等の処理を行う信号処理部２２Ａと、前記駆動手段２１及び移動装置４２に通電する電源部２２Ｂと、信号処理部２２Ａに入力された信号に基づいて電源部２２Ｂによる駆動手段２１及び移動装置４２への通電を制御するコントロール部２２Ｃとを備えて構成されている。コントロール部２２Ｃには、図示しないスイッチが接続され、このスイッチにより、電源部２２Ｂから駆動手段２１への通電を操作し、駆動手段２１による駆動力の付与状態と非付与状態とを切り替え可能となっている。
【００２３】
以上の構成において、管楽器１０を演奏すべくスライド管１１をスライドさせる場合、奏者が操作部２０の把持部２６を手で掴んでスライダ２５をスライド移動させる。これにより、検出手段２９のヘッド３１が検知する位置情報によってスライダ２５の移動量が検出され、この検出信号が制御手段２２に出力される。すると、制御手段２２は検出信号に基づいてスライド管１１の移動ストローク量と、当該移動ストローク量に要する超音波モータ４２Ａの回転数を演算する。具体的には、スライダ２５の移動量Ｌに対し、スライド管１１の移動ストローク量Ｓとした場合、前記移動量Ｌに１より大きい係数αを乗じた値を移動ストローク量Ｓとし、当該移動ストローク量Ｓからラック４２Ｃ及びピニオン４２Ｂの条件に応じて超音波モータ４２Ａの回転数を演算する。この回転数に応じて制御手段２２から超音波モータ４２Ａに通電を行うことにより、ラック４２Ｃ及びピニオン４２Ｂを介してスライド管１１が前記ストローク量Ｓスライド移動する駆動力が付与されて演奏が行われる。
【００２４】
また、前記スライド管１１のスライド移動に伴って、バランス保持手段３８の軸部３９も制御手段２２及び移動装置４２を介してスライド移動される。この際、軸部３９の移動方向は、スライド管１１の移動方向と左右逆向きとされ、軸部３９の移動速度Ｖ１は、制御手段２２を介して以下の式（１）により求められる。
Ｖ１＝Ｖ２・Ｍ２／Ｍ１・・・（１）
Ｍ１は軸部３９及び各錘部４０，４０の総質量、Ｖ２は、制御手段２２により超音波モータ４２Ａの回転数等から演算されるスライド管１１の移動速度、Ｍ２はスライド管１１の質量である。
これにより、スライド管１１の移動によって生じる管楽器１０全体が移動しようとする力と、逆向きの力を軸部３９の移動により付与することができ、スライド管１１移動時の管楽器１０のぐらつきや、マウスピース１５等を介して奏者の口に加わる負荷を軽減することが可能となる。
【００２５】
なお、前述した制御手段２２のスイッチを操作し、駆動手段２１による駆動力を付与しない状態とすれば、検出手段２９や駆動手段２１が恰も存在しない従来の管楽器１０と同様に、スライド管１１をスライド操作して演奏することが可能となる。
【００２６】
従って、このような第１実施形態によれば、スライダ２５の移動量Ｌをスライド管１１の移動ストローク量Ｓより短くすることができ、スライド管１１のスライド操作の迅速化を図ることができる他、比較的小柄な奏者であっても、手が届かないポジションにスライド管１１を移動させることができる。また、駆動手段２１を介してスライド管１１を移動させるので、操作力を軽減することができ、演奏の正確性を高めて奏者の演奏操作を補助することが可能となる。
【００２７】
［第２実施形態］
次に、本発明の第２実施形態について説明する。なお、以下の説明において、前記第１実施形態と同一若しくは同等の構成部分については必要に応じて同一符号を用いるものとし、説明を省略若しくは簡略にする。
【００２８】
図３には、本発明の第２実施形態に係る管楽器の正面図が示されている。この第２実施形態では、駆動手段４４及び移動装置４５が弾性表面波モータを用いて構成されている。駆動手段４４は、スライド管１１に設けられた移動子４４Ａと、この移動子４４Ａに対向するように前記支持アーム３３の先端側に支持された固定子４４Ｂとを備えて構成されている。固定子４４Ｂは、前記制御手段２２から通電されると弾性表面波を発生し、その弾性表面波が固定子４４Ｂ上を伝播する際の摩擦力によって移動子４４Ａを移動し、スライド管１１を移動させるようになっている。また、移動装置４５も、前記駆動手段４４と同様の機能を有する移動子４５Ａ及び固定子４５Ｂを備えて軸部３９を左右方向に移動可能に設けられている。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記検出手段２９は、光学式エンコーダーを用いて構成してもよい。また、第１実施形態における超音波モータ３４，４２Ａに代えてＤＣモータとしてもよい。但し、ＤＣモータは、スライド管１１等の位置を保持するために電力供給を継続する必要がある。
更に、操作部２０の取付位置は、マウスピース１５の隣接位置にする等、スライド管１１の近傍で奏者が操作できる限りにおいて種々の設計変更が可能である。
また、本発明は、テナートロンボーンの他、アルトトロンボーンやバストロンボーン、スライドトランペット等にも適用することができる。
【図面の簡単な説明】
【００３１】
【図１】第１実施形態に係る管楽器の概略正面図。
【図２】（Ａ）は、操作部及び検出手段の正面図、（Ｂ）は、（Ａ）の側面図。
【図３】第２実施形態に係る管楽器の図１と同様の正面図。
【符号の説明】
【００３２】
１０・・・管楽器、１１・・・スライド管、２０・・・操作部、２１，４４・・・駆動手段、２２・・・制御手段、２９・・・検出手段、３８・・・バランス保持手段
【図１】
0004742935.tif 000002
【図２】
0004742935.tif 000003
【図３】
0004742935.tif 000004